(57)【要約】【課題】ワイヤハーネスの幹線から分岐させる枝線の分岐部が、幹線に外装するコルゲートチューブの軸線方向に設けたスリットの端縁と接触して損傷するのを防止する。【解決手段】スリット付きコルゲートチューブで外装するワイヤハーネスの幹線から分岐する枝線を前記スリットから引き出す部位で保護する保護リングであって、前記枝線挿通用の中空部を設けた楕円状のリング部材からなり、該リング部材は周方向に連続する周壁の両側縁に沿ってフランジ部を突設して断面凹部を設け、前記リング部材の中空部の長径方向をワイヤハーネスの幹線の軸線方向と一致させた状態として前記中空部に前記枝線を挿通させると共に、前記コルゲートチューブのスリットの両側端縁を前記凹部に嵌合させる構成としている。【選択図】図１
2013255378.tif 000002
【特許請求の範囲】
【請求項１】
スリット付きコルゲートチューブで外装するワイヤハーネスの幹線から分岐する枝線を前記スリットから引き出す部位で保護する保護リングであって、
前記枝線挿通用の中空部を設けた楕円状のリング部材からなり、該リング部材は周方向に連続する周壁の両側縁に沿ってフランジ部を突設して断面凹部を設け、
前記リング部材の中空部の長径方向をワイヤハーネスの幹線の軸線方向と一致させた状態として前記中空部に前記枝線を挿通させると共に、前記コルゲートチューブのスリットの両側端縁を前記凹部に嵌合させる構成としていることを特徴とする枝線分岐部の保護リング。
【請求項２】
前記リング部材は楕円の長軸線を中心として２分割した形状の第１リング片と第２リング片とから構成し、該第１リング片と第２リング片の周方向の一端同士を薄肉ヒンジで連結すると共に、周方向の他端側は係止部と被係止部とで着脱自在に係止する構成としている請求項１に記載の枝線分岐部の保護リング。
【請求項３】
前記リング部材の中空部の断面の短径Ｄ１と長径Ｄ２との比をＤ１：Ｄ２＝４：１９〜２１とし、前記中空部の短径Ｄ１と前記周壁の高さＨとの比はＤ１：Ｈ＝４：３〜４であり、前記フランジ部の突出幅は前記中空部の長径方向の中央位置で最大とし両端に向けて漸減させている請求項１または請求項２に記載の枝線分岐部の保護リング。
【請求項４】
前記リング部材の長軸端から位置決め棒を外方へ突出させ、前記枝線を前記中空部に挿通保持した状態で前記位置決め棒を前記幹線の外周面に沿わせてテープ巻き固定している請求項１乃至請求項３のいずれか１項に記載の枝線分岐部の保護リング。
【請求項５】
請求項１乃至請求項４に記載の枝線分岐部の保護リングを用いたワイヤハーネスのコルゲートチューブ外装方法であって、
前記ワイヤハーネスの枝線を前記保護リングの中空部に挿通させて、該保護リングを分岐位置に取り付け、
前記保護リングの取付位置より手前側のワイヤハーネスの幹線に沿ってコルゲートチューブ外装治具を配置し、
前記コルゲートチューブ外装治具によって前記コルゲートチューブのスリットを拡開しながらワイヤハーネスの幹線にコルゲートチューブを被せ、
前記保護リングの取り付け位置では、前記コルゲートチューブのスリットの両側端縁を前記凹部に嵌合させながら前記幹線に前記コルゲートチューブを外装しているコルゲートチューブの外装方法。
【発明の詳細な説明】
【技術分野】
【０００１】
本発明は枝線分岐部の保護リングに関し、詳しくは、スリット付きコルゲートチューブで外装するワイヤハーネスの幹線から分岐する枝線を前記スリットから引き出す部位で保護する保護リングであり、枝線がスリットの端縁と接触することによって損傷するのを防止するものである。
【背景技術】
【０００２】
自動車に配索するワイヤハーネスの所定領域には、図９に示すように、軸線方向に環状の山部１００ａと谷部１００ｂを交互に連続させた合成樹脂製のコルゲートチューブ１００を外装してワイヤハーネスの電線束Ｗを保護している。コルゲートチューブ１００には拡開可能なスリット１００ｃを軸線方向に設け、該スリット１００ｃを拡開しながら電線束Ｗの外周にコルゲートチューブ１００を側方から外装している。
【０００３】
従来、前記のようなコルゲートチューブ１００をワイヤハーネスの電線束Ｗに外装するために、例えば、図１０（Ａ）に示すようなコルゲートチューブ外装治具（以下、外装治具という）１１０を用いている。外装治具１１０は、電線束Ｗを下方から受けるＵ字状の底部１１１と、該底部１１１を挟む傾斜状の両側部１１２と、該両側部１１２の上辺を外方に折り曲げた屈曲部１１３を備えている［特開平７−２４５８４０号公報（特許文献１）参照］。
【０００４】
外装治具１１０を用いてワイヤハーネスの電線束にコルゲートチューブ１００を外装するには、まず、図１０（Ｂ）のように、Ｕ字状の底部１１１を下方から電線束Ｗにあてがうと共に、両屈曲部１１３にコルゲートチューブ１００のスリット１００ｃの両側端縁を係合させ、該係合状態のまま屈曲部１１３に沿ってコルゲートチューブ１００を下向き傾斜状に送り出すことで、コルゲートチューブ１００はスリット１００ｃを拡開しながらＵ字状の底部１１１に保持された電線束Ｗへとガイドされ、図１０（Ｃ）のように、電線束Ｗにコルゲートチューブ１００を順次外装していくことができる。
【０００５】
しかし、図１１のように、コルゲートチューブ１００を外装するワイヤハーネスの幹線Ｗ１から枝線Ｗ２を分岐させている場合は、枝線Ｗ２を跨いで幹線Ｗ１にコルゲートチューブ１００を外装する必要があるが、下方から幹線Ｗ１の電線束をあてがうＵ字状の底部１１１と枝線Ｗ２が当接するため、外装治具１１０を枝線Ｗ２の後方（手前）位置に配置せざるを得ない。即ち、コルゲートチューブ１００が枝線Ｗ２を乗り越えて幹線Ｗ１に至る際に外装治具１１０を用いることができないため、コルゲートチューブ１００のスリット１００ｃの端縁が枝線Ｗ２の分岐部に接触して電線損傷を発生させるおそれがある。
【先行技術文献】
【特許文献】
【０００６】
【特許文献１】特開平７−２４５８４０号公報
【発明の概要】
【発明が解決しようとする課題】
【０００７】
本発明は前記問題に鑑みてなされたもので、ワイヤハーネスの幹線から分岐させる枝線が、幹線に外装するコルゲートチューブの軸線方向に設けたスリットの端縁と接触して損傷するのを防止することを課題としている。
【課題を解決するための手段】
【０００８】
前記課題を解決するため、本発明は、スリット付きコルゲートチューブで外装するワイヤハーネスの幹線から分岐する枝線を前記スリットから引き出す部位で保護する保護リングであって、
前記枝線挿通用の中空部を設けた楕円状のリング部材からなり、該リング部材は周方向に連続する周壁の両側縁に沿ってフランジ部を突設して断面凹部を設け、
前記リング部材の中空部の長径方向をワイヤハーネスの幹線の軸線方向と一致させた状態として前記中空部に前記枝線を挿通させると共に、前記コルゲートチューブのスリットの両側端縁を前記凹部に嵌合させる構成としていることを特徴とする枝線分岐部の保護リングを提供している。
【０００９】
前記リング部材は楕円の長軸線を中心として２分割した形状の第１リング片と第２リング片とから構成し、該第１リング片と第２リング片の周方向の一端同士を薄肉ヒンジで連結すると共に、周方向の他端側は係止部と被係止部とで着脱自在に係止する構成とすることが好ましい。
なお、２分割せずに、１つの楕円状のリング部材としてもよいが、該形状とすると中空部への枝線の貫通作業が必要となる。これに対して、２分割すると第１リング片と第２リング片とで枝線を挟み、該第１、第２リング片の周方向他端側の係止部と被係止部とのロック結合を行うだけで、容易に前記枝線の分岐部を中空部に挿通保持させることができる。
【００１０】
本発明の前記一体型または分割型のリング部材からなる保護リングは、前記のように、幹線から分岐する枝線を前記中空部に挿通させると共に、幹線に外装するコルゲートチューブのスリットの両側端縁を前記凹部に嵌合させることが可能となるため、枝線の分岐部とスリットの両側端縁との接触を阻止して分岐部の電線損傷を防止することができる。
【００１１】
特に、保護リングの中空部を楕円形状とすると共に、該中空部の長径方向を幹線の軸線方向と一致させることにより、幹線にコルゲートチューブを外装する際、スリットの両側端縁を保護リングの前記凹部に滑らかに導入、嵌合させることができる。また、前記構成によれば、分岐する枝線を導出するための開口をコルゲートチューブに設ける必要がなくなり、コルゲートチューブ外装後のスリットの口開きも生じにくくなる。
【００１２】
特に、前記中空部の断面の短径Ｄ１と長径Ｄ２との比をＤ１：Ｄ２＝４：１９〜２１とすると共に、前記中空部の短径Ｄ１と周壁の高さＨとの比をＤ１：Ｈ＝４：３〜４とし、前記フランジ部の突出幅は前記中空部の長径方向の中央位置で最大とし両端に向けて漸減させていることが好ましい。
【００１３】
前記保護リングの凹部に両側端縁を嵌合させたコルゲートチューブのスリットの開口幅が最大となる中空部の長径方向の中央位置で、前記のようにフランジ部の突出幅を最大とすることにより、前記両側端縁の位置ズレを効果的に防止してコルゲートチューブによる幹線の外装を確実に行うことができる。
【００１４】
前記リング部材の長軸端から位置決め棒を外方へ突出させ、前記枝線を前記中空部に挿通保持した状態で前記位置決め棒を前記幹線の外周面に沿わせてテープ巻き固定していることが好ましい。
前記第１、第２リング片を設けた分割型とした場合、第１リング片あるいは／および第２リング片の上下いずれか一方のフランジ部のヒンジ連結されていない周方向端縁から位置決め棒を外方へ突出させている。
【００１５】
前記のように、枝線の分岐部を前記中空部に保持した保護リングの周方向端縁から外方へ突出させた位置決め棒を幹線の外周面にテープ巻きすることで、保護リングの位置ズレを防止して枝線の分岐部を確実に保護することができる。位置決め棒の突出方向は、前記中空部の長径方向と一致させることが好ましい。また、第１、第２リング片から位置決め棒をそれぞれ突出させ、第１、第２リング片を環状に連結したときに、それぞれの位置決め棒が集束して１本の位置決め棒となるようにしていることが好ましい。
【００１６】
また、本発明は、前記枝線分岐部の保護リングを用いたワイヤハーネスのコルゲートチューブ外装方法として、
前記ワイヤハーネスの枝線を前記保護リングの中空部に挿通させて、該保護リングを分岐位置に取り付け、
前記保護リングの取付位置より手前側のワイヤハーネスの幹線に沿ってコルゲートチューブ外装治具を配置し、
前記コルゲートチューブ外装治具によって前記コルゲートチューブのスリットを拡開しながらワイヤハーネスの幹線にコルゲートチューブを被せ、
前記保護リングの取付位置では、前記コルゲートチューブのスリットの両側端縁を前記凹部に嵌合させながら前記幹線に前記コルゲートチューブを外装しているコルゲートチューブの外装方法を提供している。  
【発明の効果】
【００１７】
前述したように、本発明の周方向に沿って凹部を設けた保護リングを用い、該保護リングの中空部に、ワイヤハーネスの幹線から分岐する枝線を挿通しておくと、該ワイヤハーネスの幹線に外装するスリット付きコルゲートチューブのスリットを前記保護リングの凹部に嵌合させることができ、枝線の分岐部とスリットの両側端縁との接触を阻止して分岐部の電線損傷を防止することができる。
【００１８】
特に、前記保護リングを楕円形状とし、その長径方向を幹線の軸線方向と一致させている。よって、幹線にコルゲートチューブを外装する際、スリットの両側端縁を保護リングの前記凹部に滑らかに導入、嵌合させることができると共に、分岐する枝線を導出するための開口をコルゲートチューブに設ける必要がなくなり、コルゲートチューブ外装後のスリットの口開きも生じにくくなるため、コルゲートチューブの幹線への外装を確実かつ低コストで行うことができる。
【図面の簡単な説明】
【００１９】
【図１】本発明の第１実施形態の枝線分岐部の保護リングを示し、（Ａ）は斜視図、（Ｂ）はロック結合前の状態を示す上面図である。
【図２】枝線分岐部に保護リングを装着した状態を示し、（Ａ）は斜視図、（Ｂ）は下面図である。
【図３】幹線にコルゲートチューブを外装する途中段階の状態を示す斜視図である。
【図４】幹線へのコルゲートチューブの外装が完了した状態を示す斜視図である。
【図５】本発明の第２実施形態の枝線分岐部の保護リングを示し、（Ａ）は斜視図、（Ｂ）はロック結合前の状態を示す上面図である。
【図６】枝線分岐部に保護リングを装着し、位置決め棒を幹線にテープ巻き固定した状態を示す斜視図である。
【図７】第３実施形態の保護リングを示す図面である。
【図８】第４実施形態の保護リングを示す図面である。
【図９】従来例を示す図である。
【図１０】従来例を示す図である。
【図１１】従来例を示す図である。
【発明を実施するための形態】
【００２０】
以下、本発明の実施形態を図面を参照して説明する。
図１乃至図４に本発明の第１実施形態を示す。
本実施形態では、ワイヤハーネスの複数本の電線ｗを枝線Ｗ２として分岐させている幹線Ｗ１の電線群に、図３および図４に示すようなコルゲートチューブ２０を外装している。コルゲートチューブ２０は、環状の山部２０ａと谷部２０ｂを軸線方向に交互に設けた樹脂成形品であり、該コルゲートチューブ２０の軸線方向には連続したスリット２１を設けている。枝線Ｗ２の電線ｗが分岐部Ｗ２−１でコルゲートチューブ２０のスリット２１の両側端縁２２と接触して損傷するのを防止するために、枝線Ｗ２の分岐部Ｗ２−１に図１に示すような保護リング１Ａを装着している。なお、枝線Ｗ２の電線束の外周面には粘着テープからなる保護材２３を巻き付けている。
【００２１】
樹脂成形品からなる保護リング１Ａは、大きな曲率で偏平状に近い円弧形状とした第１リング片２Ａと第２リング片２Ｂとからなり、該第１、第２リング片２Ａと２Ｂとを組み合わせて楕円状のリング部材１０となる。
第１リング片２Ａ、第２リング片２Ｂはそれぞれ所定高さＨの周壁３Ａ、３Ｂを備えている。図１中において周壁３Ａ、３Ｂの上下端には外径方向に突出する一対のフランジ部４Ａ、４Ｂを周方向に連続して設け、上下のフランジ部４Ａ、４Ｂと周壁３Ａ、３Ｂとで凹部８Ａ、８Ｂを形成している。
【００２２】
前記第１、第２リング片２Ａ、２Ｂは、周方向の一端側を薄肉ヒンジ５で連結している一方、周方向の他端側は、第１リング片２Ａのフランジ部４Ａに設けた係止爪からなる係止部６Ａと、第２リング片２Ｂのフランジ部４Ｂの対応位置に設けた係止溝からなる被係止部６Ｂとのロック結合により連結して、周壁３Ａおよび３Ｂに囲まれた断面略楕円形状の中空部７が形成されるようにしている。第１、第２リング片２Ａ、２Ｂは、係止部６Ａおよび被係止部６Ｂを除き、薄肉ヒンジ５を対称軸とした対称形状としている。
【００２３】
中空部７の短径Ｄ１と長径Ｄ２との比は、Ｄ１：Ｄ２＝４：１９〜２１（本実施形態ではＤ１：Ｄ２＝１：５）とし、中空部の短径Ｄ１と周壁３Ａ、３Ｂの高さＨとの比は、Ｄ１：Ｈ＝４：３〜４（本実施形態ではＤ１：Ｈ＝４：３．５）としている。また、フランジ部４Ａ、４Ｂの突出幅は、長径方向の中央位置で最大とし、両端に向けて漸減させている。本実施形態では、（中空部７の短径Ｄ１）：（中空部７の長径方向中央位置でのフランジ部４Ａ、４Ｂの突出幅ｄ）＝１：１としている。
【００２４】
前記保護リング１Ａを枝線Ｗ２の分岐部Ｗ２−１に装着し、図２に示すように、保護リング１Ａの中空部７の長径方向を幹線Ｗ１の軸線方向に一致させた状態で、枝線Ｗ２の分岐部Ｗ２−１を中空部７に挿通保持している。即ち、枝線Ｗ２の分岐部Ｗ２−１を第１リング片２Ａと第２リング片２Ｂとの間に挟み込んで係止部６Ａと被係止部６Ｂとをロック結合することにより、分岐部Ｗ２−１は中空部７に扁平楕円状に押し込まれた状態で保持される。
【００２５】
また、保護リング１Ａは、前記ロック結合により環状に連結した第１、第２リング片２Ａ、２Ｂの凹部８Ａ、８Ｂに、幹線Ｗ１に外装するコルゲートチューブ２０のスリット２１の両側端縁２２を嵌合させる構造としている。
【００２６】
枝線Ｗ２の分岐部Ｗ２−１に保護リング１Ａが装着された幹線Ｗ１に前記コルゲートチューブ２０を外装するためには、図３に示すように、保護リング１Ａを装着した分岐部Ｗ２−１より手前側にコルゲートチューブ外装治具３０を幹線Ｗ１に沿って配置する。コルゲートチューブ外装治具３０の構造は特に限定されないが、本実施形態では合成樹脂板を断面Ｕ字状に湾曲形成してなるコルゲートチューブ外装治具３０を用い、幹線Ｗ１の電線束を下方から受けるＵ字状の底部３１と、該底部３１を挟む傾斜状の両側部３２と、該両側部３２の上辺を外方に折り曲げた屈曲部３３とを備えている。
【００２７】
外装作業時には、まず、コルゲートチューブ外装治具３０のＵ字状の底部３１を幹線Ｗ１の電線束に下方からあてがうと共に、両屈曲部３３にコルゲートチューブ２０のスリット２１の両側端縁２２を係合させながらコルゲートチューブ２０を下向き傾斜状（矢印方向）に送り出す。これにより、コルゲートチューブ２０はスリット２１を拡開しながらＵ字状の底部３１に保持された幹線Ｗ１の電線束へとガイドされる。コルゲートチューブ外装治具３０の前端かつ枝線Ｗ２の分岐部Ｗ２−１に装着した保護リング１Ａの後端までガイドされたコルゲートチューブ２０は、保護リング１Ａの凹部８Ａ、８Ｂにスリット２１の両側端縁２２を嵌合させながら分岐部Ｗ２−１より前方側へとスムーズに送り出されるため、図４に示すように、枝線Ｗ２を分岐させた幹線Ｗ１にコルゲートチューブ２０を容易に外装することができる。
【００２８】
即ち、本実施形態の保護リング１Ａを用いれば、コルゲートチューブ外装作業中も外装完了後も、コルゲートチューブ２０のスリット２１の両側端縁２２が枝線Ｗ２の分岐部Ｗ２−１に装着した保護リング１Ａの凹部８Ａ、８Ｂに嵌合するため、分岐部Ｗ２−１に両側端縁２２が接触して電線損傷を生じさせることがない。また、分岐する枝線Ｗ２を導出するための開口をコルゲートチューブ２０に設ける必要がなくなり、コルゲートチューブ外装後のスリット２１の口開きも生じにくくなるため、コルゲートチューブ２０の幹線Ｗ１への外装を確実かつ低コストで行うことができる。
【００２９】
図５および図６に本発明の第２実施形態を示す。
第２実施形態の保護リング１Ｂでは、第１、第２リング片２Ａ、２Ｂの上端のフランジ部４Ａ、４Ｂの、ヒンジ接続されていない周方向の端縁から位置決め棒９Ａ、９Ｂを外方に突出させている。位置決め棒９Ａ、９Ｂの突出方向は中空部７の長径方向と一致させ、第１リング片２Ａの係止部６Ａと第２リング片２Ｂの被係止部６Ｂをロック結合して第１、第２リング片２Ａ、２Ｂを環状に連結したときに、それぞれの位置決め棒９Ａ、９Ｂが集束して１本の位置決め棒９となるようにしている。
【００３０】
本実施形態では、図６に示すように、保護リング１Ｂの中空部７の長径方向を幹線Ｗ１の軸線方向に一致させた状態で枝線Ｗ２の分岐部Ｗ２−１を中空部７に挿通保持すると共に、位置決め棒９を幹線Ｗ１の外周面に沿わせてテープ（Ｔ）巻き固定している。位置決め棒９（９Ａ、９Ｂ）以外の点については、第１実施形態と同様としている。
【００３１】
前記のように、枝線Ｗ２の分岐部Ｗ２−１を中空部７に保持した保護リング１Ｂの周方向端縁から外方へ突出させた位置決め棒９（９Ａ、９Ｂ）を幹線Ｗ１の外周面にテープ（Ｔ）巻きすることで、保護リング１Ｂの位置ズレを防止して枝線Ｗ２の分岐部Ｗ２−１を確実に保護することができる。
【００３２】
図７に第３実施形態の保護リング１Ｃを示す。
該保護リング１Ｃは、第１リング片２Ａと第２リング片２Ｂの形状を、それぞれ山型状とし、中央部を挟む両側部２Ａ−１、２Ａ−２、２Ｂ−１、２Ｂ−２を緩い傾斜としている。該形状とすると、コルゲートチューブのスリットの開きを抑制でき、第１、第２リング片２Ａ、２Ｂの凹部にコルゲートチューブのスリットを無理なく嵌合させることができる。
【００３３】
図８に第４実施形態の保護リング１Ｄを示す。
該保護リング１Ｄは、２分割せずに１つの楕円状のリング部材としている点が第１実施形態と相違する。楕円状の周壁３の両側縁に沿ってフランジ部４を突設し、周壁３と両側フランジ部４で囲まれた凹部８を周状に設けている点は前記他の実施形態と同様である。
【００３４】
前記保護リング１Ｄでは、中空部７に枝線Ｗ２を貫通する必要があるが、枝線Ｗ２が比較的短尺で且つ枝線の本数が少ない場合には、貫通作業を容易に行うことができ、保護リング１Ｄの構造が簡素化できるため、安価となる利点を有する。
該保護リング１Ｄに枝線を通した状態で、幹線にスリット付きコルゲートチューブを前記治具を用いて同様に外装することができる。
【符号の説明】
【００３５】
１（１Ａ〜１Ｄ）  保護リング
２Ａ  第１リング片
２Ｂ  第２リング片
３Ａ、３Ｂ  周壁
４Ａ、４Ｂ  フランジ部
５  薄肉ヒンジ
６Ａ  係止部
６Ｂ  被係止部
７  中空部
８Ａ、８Ｂ  凹部
９（９Ａ、９Ｂ）  位置決め棒
１０  リング部材
２０  コルゲートチューブ
２１  スリット
２２  （スリットの）両側端縁
Ｗ１  幹線
Ｗ２  枝線
Ｗ２−１  分岐部
【図１】
2013255378.tif 000003
【図２】
2013255378.tif 000004
【図３】
2013255378.tif 000005
【図４】
2013255378.tif 000006
【図５】
2013255378.tif 000007
【図６】
2013255378.tif 000008
【図７】
2013255378.tif 000009
【図８】
2013255378.tif 000010
【図９】
2013255378.tif 000011
【図１０】
2013255378.tif 000012
【図１１】
2013255378.tif 000013